(57)【特許請求の範囲】
【請求項１】
棒状化粧料等の棒状体が装填される容器本体と、該容器本体を上側から外嵌して容器本体を収容するキャップとを備えて構成される棒状化粧料容器において、
前記キャップは、
容器本体を外嵌収容すべく下端が開口した筒状の第一キャップ部と、
該第一キャップ部の上部に第一キャップ部に対して縦軸回りに相対回動自在に外嵌組み込みされた筒状の第二キャップ部と、
第一キャップ部の上部に上下移動自在に内嵌されたインナー筒とで構成され、
前記第一、第二キャップ部の一方には上下方向に向けて縦線状の案内をする第一案内部が形成され、他方には周回り方向に向けて上下傾斜状の案内をする第二案内部が形成され、
前記インナー筒には、容器本体がキャップ下端から突出するよう該容器本体に突き当たる突き当たり部と、前記第一案内部により上下動案内される第一被案内部と、第二案内部により上下動案内される第二被案内部とが形成されていて、
前記インナー筒は、第一、第二被案内部がそれぞれ上動端位置に位置する初期姿勢の状態で第一キャップ部に対して第二キャップ部を相対回動させることにより、該第一、第二被案内部が第一、第二案内部にそれぞれ案内されて下動することで容器本体をキャップ下端から突出せしめるよう下動する構成になっている一方、
前記キャップには、第二キャップ部を相対回動前位置に、インナー筒を初期姿勢にそれぞれ復帰させるための復帰弾機が設けられていると共に、
前記第一キャップ部の上端部には、該第一キャップ部に第二キャップ部を外嵌組み込みしたときに該第二キャップ部に無理嵌め状に嵌入して第二キャップ部の上端部に形成の係止受け部に係止する係止部が形成されていて、第一キャップ部の第二キャップ部に対する下動を規制するように構成し、
さらに第一キャップ部の上端部を内径方向に向けて撓むように構成して、第一キャップ部に第二キャップ部を外嵌するとき第一キャップ部の上端部が内径方向に撓むことで第一キャップ部の係止部が第二キャップ部に無理嵌め状に嵌入して第二キャップ部の係止受け部に係止される構成とするにあたり、
第一キャップ部に形成される第一または第二案内部には、第一キャップ部に嵌入組み込みされたインナー筒が復帰弾機に抗して下方に没入して第一キャップ部上端部の内径側への撓み変形を許容するべく第一または第二被案内部を係脱自在に仮保持する仮保持部が連設されていることを特徴とする棒状化粧料容器。
【請求項２】
第二キャップ部には、仮保持部に仮保持されている第一または第二被案内部を第一または第二案内部にそれぞれ復帰させるための復帰部が設けられていることを特徴とする請求項１記載の棒状化粧料容器。
【請求項３】
復帰部は、仮保持部に仮保持されている第一または第二被案内部に対し周回り方向に位置ずれした位置に位置するものとし、第一キャップ部と第二キャップ部の相対回動により前記仮保持部に仮保持されている第一または第二被案内部に当接して押しやることで該第一または第二被案内部を仮保持部から抜け出させることを特徴とする請求項２記載の棒状化粧料容器。
【請求項４】
仮保持部は、第一案内部の下端に対して周回り方向に連続するようにして形成されるとともに、復帰部は、第二案内部の下端に対して縦軸方向下方に設けられていることを特徴とする請求項２又は３記載の棒状化粧料容器。
【請求項５】
仮保持部と第一案内部の下端とは、延長部が介装する状態で連設されており、復帰部は、仮保持部の位置に対応するよう第二案内部の下端位置よりも下方に向けて延出された延出部に形成されたものであることを特徴とする請求項４記載の棒状化粧料容器。
【請求項６】
仮保持部は、第二案内部の下端に対して周回り方向に連続するようにして形成されるとともに、復帰部は、第一案内部の下端に対して縦軸方向下方に設けられていることを特徴とする請求項２又は３記載の棒状化粧料容器。
【請求項７】
仮保持部と第二案内部の下端とは、延長部が介装する状態で連接されており、復帰部は、仮保持部の位置に対応するよう第一案内部の下端位置よりも下方に向けて延出された延出部に形成されたものであることを特徴とする請求項６記載の棒状化粧料容器。
【請求項８】
第一、第二案内部は、何れか一方が内側に位置するようキャップ上半部で内外に重合すると共に、第一、第二被案内部は一体であって、該一体の被案内部は、内側の案内部を貫通して外側の案内部に係合していることを特徴とする請求項１乃至７の何れか１記載の棒状化粧料容器。
【請求項９】
第一キャップ部に形成される第一または第二案内部の少なくとも一つの上端部を第一キャップ部の上端まで切欠かれたスリット状とすることで第一キャップ部上端部の内径側への撓み変形を許容するようになっていることを特徴とする請求項１乃至８の何れか１記載の棒状化粧料容器。
【発明の詳細な説明】
【技術分野】
【０００１】
本発明は、口紅、マニキュア、ファンデーション等の棒状の化粧料を収容するための棒状化粧料容器に関する。
【背景技術】
【０００２】
一般に、口紅やファンデーション等の棒状化粧料が収容される棒状化粧料容器にあっては、化粧料が収容される容器本体の上端部からキャップを外嵌することによって容器本体の被覆蓋部をキャップで覆蓋するよう構成したものが知られている。
このように容器本体上端部からキャップを外嵌させることで化粧料を収容する棒状化粧料容器にあっては、キャップの内側最奥端部に縦軸方向の付勢力を有した弾性部材を装着し、該弾性部材の付勢力を利用してキャップと容器本体との係脱を行うよう構成したものがある。
このようなもののなかには、例えば特許文献１のように、キャップを外筒と該外筒に対して縦軸方向に移動自在な内筒とで構成し、内筒の奥端部には突起部が形成された揺動自在なロッドを設けるとともに、外筒の奥端部には前記ロッドを案内する案内溝と前記突起部が係合する係止部を設け、さらに外筒と内筒とのあいだには弾性部材を介装して、容器本体をキャップの内側奥端に向けて押し込むことで内筒が弾性部材の付勢力に抗して外筒の奥端部側に移動して突起部が係止部に係合する収容姿勢となり、再度容器本体をキャップの内側奥端に押し込むことで係合突起と係止部との係合が外れ、弾性部材の付勢力によってキャップが容器本体から離脱する方向に移動して容器本体下端がキャップ開口端から露出する取外し姿勢となるよう構成したものがある。
しかるにこのものでは突起部が係止部に対して係合離脱する際にキャップが容器本体に対して戻り移動を生じさせるという問題点、突起部が係止部に係合するまでは弾性部材の付勢力に抗した押し込み操作をしなければならないという問題点がある。
そこで特許文献２のように、キャップを、上下方向に長いガイド孔が形成された第一キャップ部と、該第一キャップ部に相対回動自在に外嵌し、傾斜状の傾斜案内溝が形成された第二キャップ部と、第一キャップ部に上下移動自在に内嵌し、ガイド孔を貫通して傾斜案内溝にまで至る案内突起が形成されたインナー筒とで構成し、第一キャップ部と第二キャップ部との相対回動によって、案内突起がガイド孔と傾斜案内溝とに案内されることでインナー筒が下動して容器本体をキャップ下端から突出させるように構成したものにおいて、第二キャップ部を相対回動前位置に、インナー筒を下動する前の初期位置に復帰させるための復帰弾機を設けるようにして、前記特許文献１のものが有する問題点を解消するようにしたものを提唱した。
【先行技術文献】
【特許文献】
【０００３】
【特許文献１】特開２００７−６１３９３号公報
【特許文献２】特許第４９６８９７３号公報
【発明の概要】
【発明が解決しようとする課題】
【０００４】
この前記特許文献２のものは、第一キャップ部の上端部に第二キャップ部の内径よりも大径の係止部を形成し、そして該第一キャップ部に第二キャップ部を外嵌組み込みしたときに係止部が第二キャップ部に無理嵌め状に嵌入して第二キャップ部の上端部に形成の係止受け部に係止するようにし、これにより、第二キャップ部を第一キャップ部に外嵌組み込みしたときに、第一キャップ部の第二キャップ部に対する下動が規制されるように構成している。
ところでこの場合の組み込みは、復帰弾機とインナー筒とが嵌入組み込みされた第一キャップ部に第二キャップ部を外嵌することでなされるが、インナー筒は、復帰弾機に付勢されて前記初期位置に上動しているため、前記無理嵌めをする際にインナー筒が邪魔をして第一キャップ部上端部の内径方向への撓み変形が規制され、この結果、係止部の第二キャップ部への無理嵌め嵌合作業が円滑に行われないことになって作業性に劣るという問題があり、ここに本発明の解決せんとする課題がある。
【課題を解決するための手段】
【０００５】
本発明は、上記の課題を解決するため鋭意創作されたものであって、請求項１の発明は、棒状化粧料等の棒状体が装填される容器本体と、該容器本体を上側から外嵌して容器本体を収容するキャップとを備えて構成される棒状化粧料容器において、前記キャップは、容器本体を外嵌収容すべく下端が開口した筒状の第一キャップ部と、該第一キャップ部の上部に第一キャップ部に対して縦軸回りに相対回動自在に外嵌組み込みされた筒状の第二キャップ部と、第一キャップ部の上部に上下移動自在に内嵌されたインナー筒とで構成され、前記第一、第二キャップ部の一方には上下方向に向けて縦線状の案内をする第一案内部が形成され、他方には周回り方向に向けて上下傾斜状の案内をする第二案内部が形成され、前記インナー筒には、容器本体がキャップ下端から突出するよう該容器本体に突き当たる突き当たり部と、前記第一案内部により上下動案内される第一被案内部と、第二案内部により上下動案内される第二被案内部とが形成されていて、前記インナー筒は、第一、第二被案内部がそれぞれ上動端位置に位置する初期姿勢の状態で第一キャップ部に対して第二キャップ部を相対回動させることにより、該第一、第二被案内部が第一、第二案内部にそれぞれ案内されて下動することで容器本体をキャップ下端から突出せしめるよう下動する構成になっている一方、前記キャップには、第二キャップ部を相対回動前位置に、インナー筒を初期姿勢にそれぞれ復帰させるための復帰弾機が設けられていると共に、前記第一キャップ部の上端部には、該第一キャップ部に第二キャップ部を外嵌組み込みしたときに該第二キャップ部に無理嵌め状に嵌入して第二キャップ部の上端部に形成の係止受け部に係止する係止部が形成されていて、第一キャップ部の第二キャップ部に対する下動を規制するように構成し、さらに第一キャップ部の上端部を内径方向に向けて撓むように構成して、第一キャップ部に第二キャップ部を外嵌するとき第一キャップ部の上端部が内径方向に撓むことで第一キャップ部の係止部が第二キャップ部に無理嵌め状に嵌入して第二キャップ部の係止受け部に係止される構成とするにあたり、第一キャップ部に形成される第一または第二案内部には、第一キャップ部に嵌入組み込みされたインナー筒が復帰弾機に抗して下方に没入して第一キャップ部上端部の内径側への撓み変形を許容するべく第一または第二被案内部を係脱自在に仮保持する仮保持部が連設されていることを特徴とする棒状化粧料容器である。
請求項２の発明は、第二キャップ部には、仮保持部に仮保持されている第一または第二被案内部を第一または第二案内部にそれぞれ復帰させるための復帰部が設けられていることを特徴とする請求項１記載の棒状化粧料容器である。
請求項３の発明は、復帰部は、仮保持部に仮保持されている第一または第二被案内部に対し周回り方向に位置ずれした位置に位置するものとし、第一キャップ部と第二キャップ部の相対回動により前記仮保持部に仮保持されている第一または第二被案内部に当接して押しやることで該第一または第二被案内部を仮保持部から抜け出させることを特徴とする請求項２記載の棒状化粧料容器である。
請求項４の発明は、仮保持部は、第一案内部の下端に対して周回り方向に連続するようにして形成されるとともに、復帰部は、第二案内部の下端に対して縦軸方向下方に設けられていることを特徴とする請求項２又は３記載の棒状化粧料容器である。
請求項５の発明は、仮保持部と第一案内部の下端とは、延長部が介装する状態で連設されており、復帰部は、仮保持部の位置に対応するよう第二案内部の下端位置よりも下方に向けて延出された延出部に形成されたものであることを特徴とする請求項４記載の棒状化粧料容器である。
請求項６の発明は、仮保持部は、第二案内部の下端に対して周回り方向に連続するようにして形成されるとともに、復帰部は、第一案内部の下端に対して縦軸方向下方に設けられていることを特徴とする請求項２又は３記載の棒状化粧料容器である。
請求項７の発明は、仮保持部と第二案内部の下端とは、延長部が介装する状態で連接されており、復帰部は、仮保持部の位置に対応するよう第一案内部の下端位置よりも下方に向けて延出された延出部に形成されたものであることを特徴とする請求項６記載の棒状化粧料容器である。
請求項８の発明は、第一、第二案内部は、何れか一方が内側に位置するようキャップ上半部で内外に重合すると共に、第一、第二被案内部は一体であって、該一体の被案内部は、内側の案内部を貫通して外側の案内部に係合していることを特徴とする請求項１乃至７の何れか１記載の棒状化粧料容器である。
請求項９の発明は、第一キャップ部に形成される第一または第二案内部の少なくとも一つの上端部を第一キャップ部の上端まで切欠かれたスリット状とすることで第一キャップ部上端部の内径側への撓み変形を許容するようになっていることを特徴とする請求項１乃至８の何れか１記載の棒状化粧料容器である。
【発明の効果】
【０００６】
請求項１の発明とすることによって、第二キャップ部を第一キャップ部に外嵌組み込みするにあたっては、まず第一キャップ部に嵌入組み込みされたインナー筒を復帰弾機の付勢力に抗して下動させ、しかる後第一または第二被案内部を仮保持部に保持させて仮保持状態とし、その後第一キャップ部に対して第二キャップ部を無理嵌め状に外嵌してキャップの組付けを行えば良く、このとき第一または第二被案内部が仮保持部に仮保持されることでインナー筒は第一キャップ部の上端部よりも下方位置に仮保持されるため、第二キャップ部が第一キャップ部に無理嵌め状に外嵌するときには、第一キャップ部の上端部に形成された係止部はインナー筒に邪魔されることなく内径方向に撓み変形出来ることになって、第二キャップ部の第一キャップ部に対する外嵌組み込みをスムーズに行うことが出来る。従ってキャップの組み付け作業を簡単かつ確実に行うことが出来る。
請求項２の発明とすることによって、仮保持部に仮保持された第一または第二被案内部は、復帰部によって第一または第二案内部に復帰させることが出来る。
請求項３の発明とすることによって、仮保持部に仮保持された第一または第二被案内部は、第一キャップ部と第二キャップ部とを相対回動させることによる復帰部の押出しによって仮保持部から抜け出させることが出来る。
請求項４、６の発明とすることによって、第一または第二被案内部は、第一または第二案内部よりも下方に仮保持されることになって、インナー筒が仮保持された状態での第一キャップ部上端部の内径方向への撓み変形を確実に行うことが出来る。
請求項５、７の発明とすることによって、仮保持部は延長部を介装して第一または第二案内部の下端よりも下方に形成されるとともに、復帰部は、該仮保持部に対応する位置に形成されるため、インナー筒は第一、第二案内部下端よりもさらに下方に仮保持されることになり、第一キャップ部上端部の内径方向への撓み変形が一層インナー筒に邪魔されることなく確実になされることになって、第二キャップ部の第一キャップ部への外嵌組み込みを一層スムーズに行うことが出来る。
請求項８の発明とすることによって、第一、第二案内部は、第一、第二キャップ部の径方向同位置に配することが出来るとともに、仮保持部、復帰部も第一、第二キャップ部の径方向同位置に配することが出来ることになって、第一、第二案内部および仮保持部、復帰部の配設場所を大きく設ける必要がなく、省スペース化を図ることができる。また、第一、第二被案内部を一体化させることによって構造の簡略化を図ることが出来る。
請求項９の発明とすることによって、第一キャップ部の上端部をより撓み変形しやすいものにすることが出来る。
【図面の簡単な説明】
【０００７】
【図１】本発明の第一の実施の形態による案内突起が上動端に位置する初期姿勢の縦断面図である。
【図２】本発明の第一の実施の形態による案内突起が下動端に位置する下動姿勢の縦断面図である。
【図３】本発明の第一の実施の形態による案内突起が仮保持孔に仮保持される姿勢の縦断面図である。
【図４】（Ａ）、（Ｂ）、（Ｃ）は、それぞれインナー筒の正面図、正面断面図、側面図である。
【図５】（Ａ）、（Ｂ）、（Ｃ）は、それぞれ第一案内筒の正面断面図、側面一部断面図、部分斜視図である。
【図６】（Ａ）、（Ｂ）、（Ｃ）は、それぞれ第二案内筒の正面一部断面図、側面断面図、底面図である。
【図７】（Ａ）、（Ｂ）、（Ｃ）、（Ｄ）は、それぞれ第一の実施の形態における第一案内筒、復帰弾機、インナー筒を組み込む様子を示す説明図である。
【図８】（Ａ）、（Ｂ）、（Ｃ）は、それぞれ第一案内筒に第二案内筒を組み込む様子を示す説明図である。
【図９】（Ａ）〜（Ｅ）は、それぞれ、第一の実施の形態におけるガイド孔、傾斜案内段差、案内突起の係合状態を示す展開図である。
【図１０】第二の実施の形態における第一案内筒の部分断面図である。
【図１１】（Ａ）、（Ｂ）は、それぞれ第三、第四の実施の形態におけるガイド孔、傾斜案内段差、案内突起の係合状態を示す展開図である。
【図１２】（Ａ）〜（Ｅ）は、それぞれ容器本体の収容姿勢、容器本体の突出姿勢、容器本体が突出姿勢でキャップが初期姿勢に復帰した状態、容器本体がキャップから離脱した状態、容器本体がキャップに押し込まれて収容姿勢となった状態を示す斜視図である。
【発明を実施するための形態】
【０００８】
以下、本発明の第一の実施の形態について、図面に基づいて詳細に説明する。
図面において、１は化粧料容器であって、該化粧料容器１は、上面に開口部２ａを有し、収容される棒状化粧料Ｋが昇降操作されて該開口部２ａから出没する容器本体２と、該容器本体２を開口部２ａ側から外嵌して覆蓋するキャップ３とからなる。
【０００９】
容器本体２は、底部に有底筒状の袴筒４が設けられ、該袴筒４の内周面には円筒状の中具５が袴筒４の上部から突出するようにして一体的に止着されている。そして中具５の下部内周面にはリング６が中具５と一体回動するように内嵌しており、リング６の内周面には縦軸方向に容器本体２の上部にまで至る円筒状の身筒７がリング６と一体回動するように設けられている。身筒７の周面部には、縦軸方向に長く上端部が軸回り方向一方に曲折した縦孔７ａの一対が周回り方向対向位置に穿設されている。そして、これら袴筒４、中具５、リング６、身筒７は容器本体２の縦軸回りに一体回動するようになっている。
【００１０】
一方、身筒７の外周面側には、螺旋溝９ａが内周面の下端部から上端部にまで至って刻設された螺旋筒９が身筒７に対して回動自在に設けられている。そして螺旋筒９の外周面には、螺旋筒９と一体回動する円筒状の把持筒１０が外嵌しており、これによって把持筒１０は袴筒４および中具５に対して回動自在となっている。
【００１１】
身筒７の内周面側には、有底円筒状であって、外周面の周回り方向対向位置に一対の突起８ａが突設された中皿８が、突起８ａが縦孔７ａおよび螺旋溝９ａに対して摺動自在に係合した状態で設けられる。そして身筒７と螺旋筒９との相対回動によって突起８ａが縦孔７ａに回動規制された状態で螺旋溝９ａによって昇降案内されて縦孔７ａを上下昇降し、よって中皿８が身筒７の内側を昇降移動するようになっている。中皿８の内側部は、棒状化粧料Ｋを収容する収容部８ｂとなっており、袴筒４或いは中具５と把持筒１０とを相対回動させることで身筒７と螺旋筒９とが相対回動することになって中皿８を昇降移動させ、これによって棒状化粧料Ｋが容器本体２の開口部２ａから出没するようになっている。
【００１２】
一方、前記キャップ３は、図３に示すように、容器本体２を外嵌収容すべく下端が開口した筒状の第一キャップ部１１と、該第一キャップ部１１の上側に第一キャップ部１１に対して縦軸回りに相対回動自在に組み込まれる筒状の第二キャップ部１２と、該第一、第二キャップ部１１、１２に摺動自在に係合するインナー筒１３と、該インナー筒１３を上方向に付勢する復帰弾機２０とで構成される。
第一キャップ部１１は、下端に開口部１４ａを有するダイアル部１４と、下端部がダイアル部１４の内周面下半部にダイアル部１４に一体化される状態で設けられ、上端部がダイアル部１４の上端から上方に突出して第二キャップ部１２の内周面側に重合する第一案内筒１５と、ダイアル部１４の上半部と第一案内筒１５とのあいだに挟持され、ダイアル部１４と一体化する状態で設けられる第一支持筒１６とを備えて構成されている。
一方、第二キャップ部１２は、有天筒状の胴部１７と、該胴部１７の内周面上半部に胴部１７と一体化される状態で設けられる第二案内筒１８と、胴部１７の内周面下半部に胴部１７と一体化される状態で設けられる第二支持筒１９とを備えて構成されている。
【００１３】
第一案内筒１５は、図５に示すように、外周面上端縁から外径方向に鍔状に突出した係止部１５ａが形成されるとともに、第一案内筒１５の筒上部側には、本発明の第一案内部に相当する上下縦線状のガイド孔１５ｂの一対が点対称状に設けられる。そして、これら一対のガイド孔１５ｂのうちの一方には、該ガイド孔１５ｂの上端部から第一案内筒１５の上端縁に至るまでガイド孔１５ｂの孔幅よりも幅狭になるようスリット状の切欠き１５ｃが切欠き形成されており、該切欠き１５ｃによって切欠き部分の係止部１５ａが切欠かれた状態となっており、これによつて第一案内筒１５の上端部が内外径方向に撓むことができるように設定されている。尚、本実施の形態では該切欠き１５ｃをガイド孔１５ｂの一方の上端部のみに形成したが、両方のガイド孔１５ｂの上端部に形成して実施しても良い。
そしてガイド孔１５ｂは、後述するインナー筒１３の案内突起１３ａが上下方向移動自在に嵌入することになり、後述するように第一キャップ部１１と第二キャップ部１２とを相対回動させた場合に、該ガイド孔１５ｂの上下端部が案内突起１３ａの上下動端１５ｄ、１５ｅ位置となるように設定されており、案内突起１３ａがガイド孔１５ｂの上動端１５ｄ位置に位置する状態では、インナー筒１３の上端面１３ｆは第一案内筒１５の上端面１５ｈとは上下方向略同一面上に位置する設定になっている。
【００１４】
前記ガイド孔１５ｂの下動端１５ｅには、ガイド孔１５ｂがさらに下方に延長（連続）される状態で延長部２１が形成され、該延長部２１の下端には、周回り方向一方向（本実施の形態では平面視で反時計回り方向）に向けて仮保持孔（仮保持部）２２が切欠き形成され、そしてインナー筒１３を、後述するように復帰弾機２０の付勢力に抗して下動させて案内突起１３ａが下動端１５ｅを越えて延長部２１の下端に至った状態で周回り方向一方向に回動させることで該案内突起１３ａが仮保持孔２２に係止して該仮保持状態に維持されるようになっている。
【００１５】
該仮保持孔２２は、案内突起１３ａが仮保持されやすいよう案内突起１３ａの形状に合わせて切欠かれており、延長部２１に至る開口部２２ａは上側部分が下方に向けて傾斜状に下る傾斜状部２２ｂとなっていて、仮保持孔２２に仮保持された案内突起１３ａが不用意に仮保持孔２２から抜け出すことのないようになっている。
【００１６】
また、第一案内筒１５の内周面側であって仮保持孔２２よりも下方には内径方向に向けて環状に突出する突条１５ｆが設けられており、該突条１５ｆの下端面１５ｇにはキャップ３に収容された状態の容器本体２の上端２ｂが当接するようになっている。
【００１７】
一方、第二案内筒１８は、図６に示すように、内周面の上端部が第一の大径部１８ａとなっており、その下方が小径部１８ｂとなっていて、該第一の大径部１８ａと小径部１８ｂとのあいだに形成される段差が前記係止部１５ａが係止する係止受け部１８ｃとなっている。
また、小径部１８ｂの下方は第二の大径部１８ｄとなっており、小径部１８ｂと第二の大径部１８ｄとのあいだに形成される段差が本発明の第二案内部に相当する傾斜案内段差１８ｅとなっている。該傾斜案内段差１８ｅは線対称状に一対形成されている。
該傾斜案内段差１８ｅは、上端部が案内突起１３ａのこれ以上の上動を規制する上動規制端１８ｆ、下端部が案内突起１３ａのこれ以下の下動を規制する下動規制端１８ｇとなっていて、該上動規制端１８ｆと下動規制端１８ｇとは上下方向傾斜状に連続して形成されているが、該上動規制端１８ｆと下動規制端１８ｇとの上下方向（縦方向）の案内長さはガイド孔１５ａの上下動端１５ｄ、１５ｅ間の案内長さと一致するようになっている。尚、本実施の形態では周回り方向に略９０度の案内移動をするようになっているが、これに限定されるものではなく、例えば６０度や１８０度等の案内移動をするようにして実施することも出来る。
【００１８】
該傾斜案内段差１８ｅの下動規制端１８ｇの下方には、該下動規制端１８ｇから小径部１８ｂが垂下する状態で下方に向けて延出した延出部２３が形成されており、該延出部２３の下端部は上下方向仮保持孔２２の位置にまで至るように設定されていてここに復帰部２４が形成されている。そして後述するように、案内突起１３ａが仮保持孔２２に仮保持されている状態で第一キャップ部１１と第二キャップ部１２とを時計回りに相対回動させると、復帰部２４が案内突起１３ａに当接して仮保持孔２２から押し出す方向に移動させ、これによって案内突起１３ａが仮保持孔２２から抜け出るようになっている。
【００１９】
一方、インナー筒１３は、図４に示すように、外周面上端部が第一案内筒１５の内周面を上下動自在に摺動する大径部１３ｂとなっており、該大径部１３ｂよりも下側部位は、第一案内筒１５の内周面に対して間隙を存して対向する小径部１３ｃとなっている。そして、該大径部１３ｂと小径部１３ｃとのあいだは段差状部１３ｄになっているとともに、大径部１３ｂの外周面からは、前記ガイド孔１５ｂに摺動自在に係合する一対の案内突起（本発明の一体となった第一、第二被案内部に相当する。）１３ａが外径方向に向けて突出形成されている。また、インナー筒１３の下端縁は、前記収容された容器本体２の上端２ｂに対向していて、後述するようにインナー筒１３が下動した場合に容器本体２の上端２ｂに突き当たって容器本体２をダイアル部１４の開口部１４ａから突出せしめる突き当たり部１３ｅとなっている。さらに段差状部１３ｄと前記第一案内筒１５の突条１５ｆの上面１５ｈとのあいだには、小径部１３ｃの外周面と第一案内筒１５の内周面とのあいだに遊嵌する状態で復帰弾機（本実施の形態ではコイルばねによって構成されている。）２０が介装されていて、インナー筒１３を常時上方に向けて付勢している。
【００２０】
そして、インナー筒１３が上動端位置に位置する初期姿勢となっているときには、案内突起１３ａは、径方向同一線状に位置するガイド孔１５ｂの上端部を貫通して傾斜案内段差１８ｅの上動規制端１８ｆに位置しており、この初期姿勢の状態からダイアル部１４と胴部１７とを両手で把持した状態で、ダイアル部１４に対して胴部１７を、案内突起１３ａが傾斜案内段差１８ｅに下動案内される方向に相対回動させると、該案内突起１３ａは該傾斜案内段差１８ｅに案内されて下動すると共に、ガイド孔１５ｂにも案内されて下動することになり、これによってインナー筒１３は、復帰弾機２０に抗する状態で、第一案内筒１５に対しては回動することなく下動するが、第二案内筒１８に対しては回動する状態で下動していく。そしてこのインナー筒１３の下動により突き当たり部１３ｅが容器本体上端２ｂを押し下げることで容器本体２を押し下げていってダイアル部下端の開口部１４ａから容器本体下端２ｃを突出させることになる。
【００２１】
そして、この容器本体２の下端２ｃがキャップ下端３ａから突出した突出姿勢から何れか一方の手を離すと、復帰弾機２０の付勢力によりインナー筒１３を上動させようとする負荷が働き、これによって案内突起１３ａは、ガイド孔１５ｂに案内される状態で上動すると同時に傾斜案内段差１８ｅに案内される状態で上動することになり、これによって第二キャップ部１２は相対回動前の位置に復帰し、インナー筒１３は初期姿勢に復帰することになる。その後突出姿勢の状態の前記容器本体２の下端２ｃを把持してキャップ下端３ａから引き出すことにより容器本体２を取り出すことが出来て、容器本体２の棒状化粧料Ｋを昇降させることで化粧料を使用することが出来る。
【００２２】
棒状化粧料Ｋを使用した後は、容器本体２をキャップ３に収容することになるが、この場合は容器本体２の上端をキャップ下端３ａから挿入して突条１５ｆの下端面１５ｇおよびインナー筒１３の突き当たり部１３ｅに突き当たるまで押し込むことでよい。
尚、第一案内筒１５にあって突条１５ｆより下側の内周面は、キャップ３に収容された状態の容器本体２の袴筒４、中具５、把持筒１０各外周面と摺接するようになっており、収容された容器本体２がキャップ３から不用意に抜け落ちることが無いようになっている。
【００２３】
次に、キャップ３の組み立て手順について説明する。
キャップ３は、第一キャップ部１１、第二キャップ部１２を各別に組み立てた後、第一キャップ部１１に復帰弾機２０とインナー筒１３とを組み込み、しかる後、両キャップ部１１、１２を組み合わせて組み立てられることになるが、第一キャップ部１１は、ダイアル部１４に第一案内筒１５および第一支持筒１６を内嵌させて組み立てることになり、また第二キャップ部１２は、胴部１７に第二案内筒１８および第二支持筒１９を内嵌させて組み立てることになる。
【００２４】
そして、前記組み立てられた第一キャップ部１１に対して、図７（Ａ）に示すように、復帰弾機２０、インナー筒１３を組み込むことになるが、それには復帰弾機２０を第一案内筒１５の上端部から内嵌して弾機下端を突条１５ｆの上面１５ｈに係止させた状態で、インナー筒１３を復帰弾機２０に内嵌する状態で第一案内筒１５に上端側から組み込むことになる。
【００２５】
このとき、インナー筒１３の左右両側面から突出する案内突起１３ａを第一案内筒１５に形成の一対のガイド孔１５ｂにそれぞれ係合させることになるが（図７（Ｂ）の状態）、このとき、一方の案内突起１３ａを切欠き１５ｃの形成されたガイド孔１５ｂの上端部に当接させた状態で押し込むと、第一案内筒１５の上端部が外径方向に撓み変形をして切欠き１５ｃが拡開することになって案内突起１３ａがガイド孔１５ｂに嵌合し、さらに該切欠き１５ｃを拡開させたままの状態でインナー筒１３を押し込むと他方の案内突起１３ａが第一案内筒１５の切欠きのない部分の上端部を通り越してガイド孔１５ｂに嵌合することになり、このようにすることでインナー筒１３の第一案内筒１５への組み込みがスムーズに行えるようになっている。
【００２６】
このようにして案内突起１３ａがガイド孔１５ｂに嵌合したインナー筒１３を復帰弾機２０の付勢力に抗してガイド孔下動端１５ｄを越えて押下げていき（図７（Ｃ）の状態）、案内突起１３ａが延長部２１の下端縁２１ａに当接して下動が止まったら、今度はインナー筒１３を周回り方向に回動させて案内突起１３ａを仮保持孔２２に嵌入させて仮保持させる（図７（Ｄ）の状態）。このように案内突起１３ａを仮保持孔２２に仮保持させることで、インナー筒１３は復帰弾機２０による付勢力を受けても上動端１５ｄ側に向けて移動することなく該仮保持孔２２に係止維持される。
【００２７】
このようにして前記インナー筒１３が仮保持された状態となった第一キャップ部１１に対しては、第二キャップ部１２を外嵌組み込みすることでキャップ３の組み立てが完了することになるが、ここで、第二案内筒１８は、小径部１８ｂが第一案内筒１５の上端縁に形成の係止部１５ａを乗り越えて嵌合していき、係止受け部１８ｃに係止部１５ａが係止することで第一案内部１５に対する組み付けがなされるようになっている。そして、このときインナー筒１３が予め下方の仮保持孔２２に保持されているため、インナー筒１３の上端部は第一案内筒１５の上端部よりも下方位置に位置しており、前記第二案内筒１８の小径部１８ｂが第一案内筒１５の係止部１５ａを乗り越える際には、第一案内筒１５の上端部が第二案内筒１８の小径部１８ｂにより内方に押されて切欠き１５ｃの間隔Ｘが図８（Ａ）、（Ｂ）に示すように狭い間隔Ｙ（Ｘ＞Ｙ）になって第一案内筒１５の上端部が内径方向に撓み変形をし、これによって第二案内筒１８はインナー筒１３に邪魔されることなくスムーズに第一案内筒１５に外嵌することが出来る。そして、小径部１８ｂが係止部１５ａを通過した後は、第一案内筒１５の上端部の撓み変形が復元して係止部１５ａに第二案内筒１８の係止受け部１８ｃが係止することになって、第一案内筒１５の第二案内筒１８に対する下動が規制されるようになっている。
【００２８】
このように係止部１５ａが係止受け部１８ｃに係止することによって、第一キャップ部１１と第二キャップ部１２との組付けがなされることになるが、この状態では、インナー筒１３は仮保持孔２２に仮保持された下方位置に位置したままであり、そこで、第一キャップ部１１に対して第二キャップ部１２を時計回りに相対回動させることで、第二案内筒１８の復帰部２４が第一案内部１５の仮保持孔２２に保持されている案内突起１３ａを仮保持孔２２から押し出して延長部２１に移動させることになり、該案内突起１３ａが延長部２１まで移動すると、インナー筒１３は、復帰弾機２０の付勢力を受けて案内突起１３ａが第一案内筒１５のガイド孔１５の上動端１５ｄに当接する位置まで移動し、これによってキャップ部３の組込みが完了となるよう構成されている。
そしてこの完了状態において、第一キャップ部１１に対して第二キャップ部１２を相対回動させると、インナー筒１３は、案内突起１３ａがガイド孔１５ｂと傾斜案内段差１８ｅに案内されることによって上下動することになるが、インナー筒１３の最下動位置は、傾斜案内段差１８ｅの下動規制端１８ｇまでとなってガイド孔１５ｂの下動端１５ｅを越えて延長部２１に至ることがなく、この結果、案内突起１３ａが誤って仮保持孔２２に入り込んでしまうことがないようになっている。
【００２９】
叙述の如く構成された本発明の第一の実施の形態において、容器本体２をキャップ３から取り出すには、前述したようにダイアル部１４に対して胴部１７を相対回動させると（図１２（Ａ）参照）、案内突起１３ｃが、傾斜案内溝１８ａに下動案内されると共にガイド孔１５ａの下動端１５ｅまでに下動案内されることになってインナー筒１３の突き当たり部１３ｄが容器本体上端２ｂをキャップ下端３ａに向けて押し出すことになる（図１２（Ｂ）参照）。この押出し状態で、前記相対回動していた手のどちらかを離すと、インナー筒１３は復帰弾機２０の付勢力を受けて上動し、これに伴って案内突起１３ｃがガイド孔１５ａおよび傾斜案内溝１８ａの上動端に位置する初期姿勢に戻るが、容器本体２は、下端２ｃがキャップ下端３ａから突出した突出姿勢の状態に維持される（図１２（Ｃ）参照）。この状態で、容器本体２をキャップ３から引き抜いて容器本体２の繰出し操作を行えば容器本体２に装填された棒状化粧料Ｋを使用することができる（図１２（Ｄ）参照）。そして、棒状化粧料Ｋを使用した後は容器本体２の繰り戻し操作を行って棒状化粧料Ｋを収納した後に容器本体上端２ｂをキャップ下端３ａである開口部１４ａから挿入して、上端２ｂが突き当たり部１３ｅに突き当たるまで容器本体２をキャップ３の奥端に向けて押し込めばよい（図１２（Ｅ）参照）。
【００３０】
このように第一、第二キャップ部１１、１２を相対回動させることで容器本体２をキャップ３から押し出した後、相対回動させるため把持していた一方の手を離すと、第一、第二キャップ部１１、１２が復帰弾機２０の付勢力を受けて元姿勢に自動的に復帰することになるが、このような棒状化粧料容器１のキャップ３を組付けるにあたっては、第一、第二キャップ部１１、１２をそれぞれ別個に組み込み形成した後、復帰弾機２０およびインナー筒１３を遊嵌状に第一キャップ部１１に内嵌組み込みし、該復帰弾機２０およびインナー筒１３が組み込まれた第一キャップ部１１に第二キャップ部１２を外嵌組み込みすることになる。
【００３１】
このとき、インナー筒１３は、図７（Ｂ）及び図９（Ａ）に示す初期姿勢の位置から、復帰弾機２０の付勢力に抗して延長部２１の下端に位置するまで押下げ移動した後（図７（Ｃ）参照）、周回り方向に回動させて案内突起１３ａを仮保持孔２２に保持させてインナー筒１３の上端部を第一案内筒１５の上端位置よりも低い位置に仮保持させた状態としておくことで（図７（Ｄ）参照）、第一案内筒１５の上端部は内径側に撓み変形できることになり、この状態で第二案内筒１８を第一案内筒１５に無理嵌め外嵌すると、第二案内筒１８の小径部１８ｂが第一案内筒１５の大径となった係止部１５ａを乗り越える状態での外嵌がスムーズに行われる（図８（Ａ）、（Ｂ）参照、図９（Ｂ）の状態）。そして、小径部１８ｂが係止部１５ａを通過すると撓み変形が復元することになって係止受け部１８ｃが係止部１５ａに確りと係止し（図８（Ｃ）の状態）、これによって第一案内筒１５の第二案内筒１８に対する下方向への下動が規制されることになって、第一、第二キャップ部１１、１２の最終組込みが、無理嵌め嵌合を含むものであっても簡単かつ確実に行うことが出来る。
【００３２】
このようにして第一、第二キャップ部１１、１２の組込みが終了した後は、第一案内筒１５に対して第二案内筒１８を周回り方向に相対回動することで、第二案内筒１８に形成の復帰部２４が第一案内筒１５に形成の案内突起１３ａを仮保持孔２２から押出すことになり、該案内突起１３ａは、仮保持孔２２から押し出されて延長部２１の下端縁２１ａに移動した後、復帰弾機２０の付勢力により下動端１５ｅまで移動（上動）する（図９（Ｃ）参照）。この状態で相対回動させていた手を離すと、案内突起１３ａは復帰弾機２０の付勢力によって上動し、ガイド孔１５ｂに対して傾斜案内段差１８ｅを相対回動させながらガイド孔１５ｂの上動端１５ｄの位置まで移動する（図９（Ｄ）参照）。そして案内突起１３ａは、一旦仮保持孔２２から抜け出ると、第一、第二キャップ部１１、１２（第一、第二案内筒１５、１８）を相対回動させることでガイド孔１５ｂの下動端１５ｅに移動してインナー筒１３が容器本体２をキャップ３の下方に押し出す下動姿勢となり、相対回動した手を離すことでガイド孔１５ｂの上動端１５ｄに移動して初期姿勢となるという移動を繰り返すことになって（図９（Ｅ）参照）、案内突起１３ａはガイド孔１５ｂの下動端１５ｅおよび傾斜案内段差１８ｅの下動規制端１８ｇよりも下方には移動しないため、キャップ３の相対回動操作中に案内突起１３ａが不用意に仮保持孔２２に入り込んでしまうようなことはなく、従って通常のキャップ使用において支障をきたすことはない。
【００３３】
また、このように構成されるキャップ２は、案内突起１３、第一案内筒１５、第二案内部１８を、第一、第二キャップ部１１、１２の径方向同位置に配することが出来るとともに、仮保持部２２と復帰部２４も第一、第二キャップ部１１、１２の径方向同位置に配することが出来ることになって、第一案内筒１１、第二案内筒１２および仮保持部２２、復帰部２４の配設場所を大きく設ける必要がなく、省スペース化を図ることができる。
【００３４】
さらに、インナー筒１３の案内突起１３ａは、ガイド孔１５ｂ、傾斜案内段差１８ｅの下動端よりも下方に形成された仮保持孔２２に仮保持されることになって、インナー筒１３が仮保持された状態での第一案内筒１５の上端部の内径方向への撓み変形を確実に行うことが出来る。
【００３５】
また、第一案内筒１５の上端部の撓み変形はスリット状の切欠き１５ｃによっておこなうよう構成したものであるから、第二案内筒１８が無理嵌め状に外嵌することによる第一案内筒１５の内径方向への撓み変形を確実にすることが出来る。
【００３６】
本発明は、前記第一の実施の形態に限定されないものであることは勿論であって、仮保持孔は、延長部２１の下端から周回り方向一方向のみに形成されたものではなく、図１０に示す第二の実施の形態のように、延長部２１の下端から周回り方向両方向に切欠き形成されたものでも良く、このように延長部２１から左右両方向に仮保持孔２２を形成することによって、案内突起１３ａが延長部下端に当接するまで押し下げられたインナー筒１３は周回り方向何れの方向に回動しても該案内突起１３ａを仮保持孔２２に保持させることが出来ることになって、仮保持作業に汎用性を持たせることが出来る。
【００３７】
また、第一の実施の形態では、第一案内筒１５に縦孔状のガイド孔１５ｂを形成し、第二案内筒１８に傾斜案内段差１８ｅを形成して構成したが、図１１（Ａ）に示す第三の実施の形態のように、第一案内筒２５に、案内突起１３ａを上下方向に傾斜案内するための傾斜案内孔２５ａを形成し、第二案内筒２６に、案内突起１３ａを上下方向に案内するための縦溝状のガイド溝２６ａを形成して、案内突起１３ａが傾斜案内孔２５ａを貫通してガイド溝２６ａに係合するようにして構成しても良い。この場合、仮保持孔２７は、傾斜案内孔２５ａの一方の下動規制端２５ｂから下方に向けて垂下するように切欠かれた延長部２８の下端から周回り方向一方向に向けて切欠かれた状態で形成されるものに構成しても良いが、図１１（Ｂ）に示すように、傾斜案内孔２５ａの左右両側に形成される各延長部２８ａ、２８ｂに対して周回り方向に同じ方向となるようにしてそれぞれ形成しても良い。この場合、仮保持孔２７の形成される方向は、周回り方向どちらの方向であっても同様に実施することが出来る。
さらに本発明は、容器本体を押し出すための第一、第二キャップ部の相対回動を、時計回り、反時計回りの両方向できるもので構成したが、何れか片方のみの相対回動とすることもでき、さらには第二案内筒側に形成される案内部としては、前記実施の形態のように段差状に形成したものでなく、溝状あるいは孔状に形成したものでも良い。
【産業上の利用可能性】
【００３８】
本発明は、口紅、マニキュア、ファンデーション等の化粧料を収容するための棒状化粧料収容容器の分野に利用可能である。
【符号の説明】
【００３９】
１      棒状化粧料容器
２      容器本体
３      キャップ
１１    第一キャップ部
１２    第二キャップ部
１３    インナー筒
１３ｃ  案内突起
１５    第一案内筒
１５ａ  係止部
１５ｂ  ガイド孔
１８    第二案内筒
１８ａ  傾斜案内段差
１８ｃ  係止受け部
２０    復帰弾機
２２    仮保持孔
【図１】
0006018326.tif 000002
【図２】
0006018326.tif 000003
【図３】
0006018326.tif 000004
【図４】
0006018326.tif 000005
【図５】
0006018326.tif 000006
【図６】
0006018326.tif 000007
【図７】
0006018326.tif 000008
【図８】
0006018326.tif 000009
【図９】
0006018326.tif 000010
【図１０】
0006018326.tif 000011
【図１１】
0006018326.tif 000012
【図１２】
0006018326.tif 000013